(57)【要約】【課題】構造が簡単であるとともに、資料等を確実に綴じることができるのに加え、その整理及び保管に優れたものを提案する。【解決手段】帯状のベース２と、ベースの下部に配置される見出し板３と、見出し板の下部に配置される可撓性の綴じ足４とからなり、ベースには中央部を境にしてこの中央部Ｓを跨ぐようにしてその長手方向の左右に一つの挿通孔５が穿設され、見出し板はベースの長手方向の両側の幅より幅広に形成され且つベースに穿設された挿通孔に対応する挿通孔１４が穿設され、ベースには、見出し板に穿設された挿通孔とベースに穿設された挿通孔とに順を追って挿通され、ベースの上面から突出された状態の前記綴じ足の先部をベースの上面に抑止するスライダー８が摺動自在に取着されている。【選択図】　　　　　図１
2004025816.tif 000002
【特許請求の範囲】
【請求項１】
綴じ具は帯状のベースと、このベースの下部に配置される見出し板と、この見出し板の下部に配置される可撓性の綴じ足との組み合わせによって構成されるとともに、前記ベースには中央部を境にしてこの中央部を跨ぐようにしてその長手方向の左右にそれぞれ一つの挿通孔が垂直方向に穿設されており、また、前記見出し板はベースの長手方向の両側の幅より幅広に形成され、且つ前記ベースに穿設された挿通孔に対応する挿通孔が穿設されるとともに、前記ベースには、ベースの下部に見出し板を配置した状態で前記見出し板に穿設された挿通孔とベースに穿設された挿通孔とに順を追って綴じ足を挿通したときに、前記ベースの上面から突出された前記綴じ足の先部をベースの上面に抑止するスライダーが摺動自在に取着されていることを特徴とする資料等の綴じ具。
【請求項２】
綴じ具は帯状のベースと、このベースに中央部を境にしてこの中央部を跨ぐようにしてその長手方向の左右にそれぞれ一つ穿設された挿通孔に挿通可能で、且つベースの下部に位置される可撓性の綴じ足とによって形成されており、前記ベースには、ベースに穿設された挿通孔に挿通されるとともに前記ベースの上面から突出された状態の前記綴じ足の先部をベースの上面に抑止するスライダーが摺動自在に取着される一方、前記ベースの周縁の所定位置には見出し板が連続して突出形成されていることを特徴とする資料等の綴じ具。
【発明の詳細な説明】
【０００１】
【発明の属する技術分野】
本発明は資料等の綴じ具、詳しくは資料等の整理、保管に優れるとともに、保管された資料等の取り出しにも簡便な資料等の綴じ具に関する。
【０００２】
【従来の技術】
従来、この種の資料等の綴じ具としては種々のものが提案されており、また、実用に供されている。仮令、よく見かけるものとして、折り曲げ可能な金属製の綴じ足を資料に設られている一対の挿通孔に挿通し折り曲げすることによって前記資料を綴じるようにした綴じ具が知られている。
【０００３】
然し乍ら、このような綴じ具にあっては綴じ足を折り曲げると言う単純な操作であるから、折り曲げた綴じ足と資料との間に隙間が生じて確実に資料を抑止して綴じることが難しく、また、長期間の繰り返しによる使用で前記資料の挿通孔の周りが破損してしまう虞がある等の問題点があった。
【０００４】
【発明が解決しようとする課題】
本発明は上記問題点を解決し、特に構造が簡単であるとともに、資料等を確実に綴じることができるのに加え、その整理、保管に優れた資料等の綴じ具を提案することをその課題とする。
【０００５】
【課題を解決するための手段】
前記課題を解決するための手段として、請求項１の発明は、綴じ具は帯状のベースと、このベースの下部に配置される見出し板と、この見出し板の下部に配置される可撓性の綴じ足との組み合わせによって構成されるとともに、前記ベースには中央部を境にしてこの中央部を跨ぐようにしてその長手方向の左右にそれぞれ一つの挿通孔が垂直方向に穿設されており、また、前記見出し板はベースの長手方向の両側の幅より幅広に形成され、且つ前記ベースに穿設された挿通孔に対応する挿通孔が穿設されるとともに、前記ベースには、ベースの下部に見出し板を配置した状態で前記見出し板に穿設された挿通孔とベースに穿設された挿通孔とに順を追って綴じ足を挿通したときに、前記ベースの上面から突出された前記綴じ足の先部をベースの上面に抑止するスライダーが摺動自在に取着されていることを特徴とする。
【０００６】
また、請求項２の発明は、綴じ具は帯状のベースと、このベースに中央部を境にしてこの中央部を跨ぐようにしてその長手方向の左右にそれぞれ一つ穿設された挿通孔に挿通可能で、且つベースの下部に位置される綴じ足とによって形成され、前記ベースには、ベースに穿設された挿通孔に挿通されるとともに前記ベースの上面から突出された状態の前記綴じ足の先部をベースの上面に抑止するスライダーが摺動自在に取着される一方、前記ベースの周縁の所定位置には見出し板が連続して突出形成されていることを特徴とする。
【０００７】
【発明の実施の形態】
以下、図面によって本発明の実施の形態について説明する。
【０００８】
図１において、符号１は本発明に係る資料等の綴じ具を示し、この資料等の綴じ具１は帯状のベース２と、この帯状のベース２の下部に位置される見出し板３と、この見出し板３の下部に位置される可撓性の綴じ足４との組み合わせによって構成されている。
【０００９】
帯状のベース２は合成樹脂製であって中央部Ｓを境にしてこの中央部Ｓを跨ぐようにしてその長手方向の左右にそれぞれ一つの挿通孔５が垂直に穿設されている。また、前記ベース２の上面長手方向に亘って後述する綴じ足４が収納される収納凹溝６が形成されている。
【００１０】
収納凹溝６はベース２の中央を境にして左右に穿設された挿通孔５を始点にし、この挿通孔５から前記ベース２の両先端付近にまで亘って設けられている。そして、前記挿通孔５付近の収納凹溝６の内底部には等間隔に４本の凸条７が形成されている。ところで、前記凸条７は長手方向の収納凹溝６に対し直交するように設けるのが好ましい。
【００１１】
なお、凸条７は４本に限らず、例えば収納凹溝６の内底部の全長に亘って設けるようにしてもよい。また、収納凹溝６は左右が連続するようにした一本様に形成してもよい。
【００１２】
次に、帯状のベース２には後述する綴じ足４をベース２の上面に抑止する一対のスライダー８が摺動自在に取着されている。即ち、スライダー８は合成樹脂製で平面視略小判状を有し、且つ前記ベース２の中央部Ｓ付近から左右に穿設された挿通孔５を通り収納凹溝６の先端近傍の上部までの間をそれぞれが左右に往復運動するように形成されている。そして、図３及び図４に示すように、前記スライダー８の両側にはＬ字状の係合部１１が連続して設けられており、前記係合部１１はベース２の両側面に一体に形成された案内条１２に嵌合されている。これによって、スライダー８の動きが滑らかであるとともに、案内条１２からの抜き脱が防止される。
【００１３】
次に、帯状のベース２の下部に位置される合成樹脂製の見出し板３は平面視略矩形状を有するとともに、その上部はなだらかな山形に形成されている。また、前記見出し板３の両側下部の突出部には後述する綴じ足４が挿通される挿通孔１４が穿設されている。なお、挿通孔１４は前記ベース２に穿設された一対の挿通孔５に対応している。また、見出し板３は矩形状に限らず、他の形状であってもよい。
【００１４】
見出し板３の上部中央には円形の貫通孔１５が穿設されるとともに、この貫通孔１５の下部には情報が表示されたシール等を貼着するための横矩形状を有する貼着部１６が設けられている。なお、貼着部１６は矩形に限るものではなく、他の形状であってもよい。また、直接に見出し板３の上面にシール等を貼るように形成してもよい。
【００１５】
帯状のベース２の下部に見出し板３を位置させたときに、前記見出し板３の上部は前記ベース２の上部から突出された状態となり、シール等を貼着する貼着部１６が露出するように形成されている。
【００１６】
次に、綴じ足４は合成樹脂製であって可撓性を有するとともに、略矩形で平坦状を有する基片部４ａと、この基片部４ａの両側に連続して形成された細長で帯状の足部４ｂとによって形成されている。そして、前記足部４ｂの裏面にはベース２に設けた収納凹溝６の内底部に形成された凸条７に対応し係合し合う凸条１９が等間隔に多数形成されている。
【００１７】
資料等の綴じ具１は上述のように構成されているので、その使用にあたっては、まず、図１及び図２に示すように、可撓性を有する綴じ足４の基片部４ａの両側に設けた細長で帯状の足部４ｂを見出し板３の両側下部に設けた挿通孔１４に挿通して、前記見出し板３の下部に前記綴じ足４を配置する。
【００１８】
次に、綴じようとする資料２０の上部中央に穿設された一対のパンチング孔（図示せず）に前記足部４ｂを挿通した後、さらに、この足部４ｂをベース２の左右に設けた挿通孔５に挿通させてその先部を前記ベース２の上面に突出させる。そして、突出された状態の先部をベース２に設けたスライダー８を摺動させることによって収納凹溝６内に節度を以って倒して前記スライダー８により抑止しすることで、前記資料２０を確実に綴じることができる。
【００１９】
上記において、収納凹溝６内に収納された状態で抑止されている綴じ足４ｂは、前記収納凹溝６の内底部に設けられた凸条７と前記足部４ｂの裏面に設けた凸条１９とが相互に係合し合っているのでズレることがなくその状態を維持することができる。
【００２０】
上述のように資料等の綴じ具１によれば、ベース２と綴じ足４とで資料２０を挟むようにして綴じる構成であり、且つ綴じ足４の足部４ｂの裏面に設けた凸条１９と収納凹溝６の内底面に設けた凸条７とが係合し合って前記足部４ｂがズレることがなく、その綴じ状態を確実に保つことができるのに加え、長期間の使用に対しても資料２０が充分にたえることができる。
【００２１】
また、見出し板３には情報が表示されたシール等を貼着するための横矩形状を有する貼着部１６が設けられていることによって資料２０の整理、保管にも優れるとともに、必要なときの取り出しに際しても簡単で容易に行うことができ便利である。
【００２２】
さらに、見出し板３には貫通孔１５が形成されているので、プッシュピンやフック等を介して壁面に止めることが可能である。
【００２３】
次に、図５に示すものは資料等の綴じ具１の他の発明を示し、この他の発明にあっては、資料等の綴じ具１は帯状のベース２と、このベース２の下部に配置される可撓性を有する綴じ足４とによって構成されている。
【００２４】
帯状のベース２は合成樹脂製であって中央部Ｓを境にしてこの中央部Ｓを跨ぐようにしてその長手方向の左右にそれぞれ一つの挿通孔５が垂直に穿設されている。また、前記ベース２の上面には長手方向に亘って後述する綴じ足４が収納される収納凹溝６が形成されている。さらに、ベース２の中央上部には情報が表示されたシール等を貼着するための貼着部２２を有する見出し板３が連続して一体に形成されている。
【００２５】
ベース２に一体に設けられた貼着部２２を有する見出し板３は図６ａ、ｂに示すように、その位置を前記ベース２の右側部の上部に一体に形成してもよく、または左側部の上部に一体に形成してもよい。
【００２６】
なお、この発明において図１乃至図４と同符号は同部位を示すものであるから、その説明は省略する。
【００２７】
資料等の綴じ具１は上述のように構成されているので、その使用にあたっては、まず、可撓性を有する綴じ足４の基片部４ａの両側に設けた細長で帯状の足部４ｂを綴じようとする資料２０の上部中央に穿設されたパンチング孔（図示せず）に挿通した後、この足部４ｂをベース２の左右に設けた挿通孔５に挿通させてその先部を前記ベース２の上面に突出させる。次に、前記綴じ足４の突出された状態の先部をベース２に設けたスライダー８を摺動させることによって収納凹溝６内に節度を以って倒して抑止することによって、前記資料２０を綴じることができる。
【００２８】
上述のように資料等の綴じ具１によれば、構造が簡単であるから製作が容易であって、安価なものを提供することができる。また、ベース２と綴じ足４とで資料２０を挟むようにして綴じる構成であるから、その綴じ状態を確実にすることができるのに加え、長期間の使用にも資料２０が充分にたえることができる。
【００２９】
また、ベース２に連続して一体に見出し板３を設けたことによって、この見出し板３に情報が表示されたシール等を貼ることで資料２０の整理及び保管にも優れるとともに、必要なときの取り出しに際してもわかり易く簡単に素早く行うことができる。
【００３０】
【発明の効果】
上記構成のように、請求項１の発明によれば、帯状のベースと、このベースの下部に配置される見出し板と、この見出し板の下部に配置される可撓性の綴じ足とからなる簡単な構造であるから、製作が容易で安価なものを提供することができる。
【００３１】
ベースには中央部を境にしてその長手方向の左右にそれぞれ一つの挿通孔が穿設されており、また、見出し板はベースの長手方向の両側の幅より幅広に形成され且つ前記ベースに穿設された挿通孔に対応する挿通孔が穿設され、前記ベースには、見出し板に穿設された挿通孔とベースに穿設された挿通孔とに順を追って挿通され、且つ前記ベースの上面から突出された状態の前記綴じ足の先部をベースの上面に抑止するスライダーが摺動自在に取着されている。このように、ベースと綴じ足とで資料を挟むようにして綴じる構成であるから、その綴じ状態を確実にすることができるのに加え、長期間の使用にも資料が充分にたえることができる。
【００３２】
また、見出し板を設けたことによって資料の整理及び保管にも優れるとともに、必要なときの取り出しに際しても簡単で素早く行うことができ便利である。
【００３３】
請求項２の発明によれば、帯状のベースと、このベースに中央部を境にしてこの中央部を跨ぐようにしてその長手方向の左右にそれぞれ一つ穿設された挿通孔に挿通可能で、且つベースの下部に位置される可撓性の綴じ足とによって形成された簡単な構造であるから、製作が容易であって、安価なものを提供することができる。
【００３４】
また、ベースと綴じ足とで資料を挟むようにして綴じる構成であるから、その綴じ状態を確実にすることができるのに加え、長期間の使用にも資料が充分にたえることはできる。
【００３５】
前記ベースの周縁の所定位置には見出し部が一体に突出形成されているので、資料の整理及び保管にも優れるとともに、必要なときの取り出しに際しても簡単で素早く行うことができる。
【図面の簡単な説明】
【図１】資料等の綴じ具の分解斜視図
【図２】資料を綴じた状態の綴じ具の説明図
【図３】綴じ具の側面図
【図４】図３におけるＡ−Ａ線断面図
【図５】綴じ具の他の発明の分解斜視図
【図６】ａ、ｂはベースの他の例の正面図
【符号の説明】
１　綴じ具
２　ベース
３　見出し板
４　綴じ足
５、１４　挿通孔
８　スライダー
Ｓ　中央部
【図１】
2004025816.tif 000003
【図２】
2004025816.tif 000004
【図３】
2004025816.tif 000005
【図４】
2004025816.tif 000006
【図５】
2004025816.tif 000007
【図６】
2004025816.tif 000008